(57)【要約】【課題】同一筐体内に複数実装した基地局ユニットそれぞれのファンユニット内のファンの故障の有無によらず冷却性能の維持が可能なファン制御システムを提供する。【解決手段】内部の廃熱を放熱する冷却ユニットを備えた筐体4内に実装した複数の基地局ユニット21,…,2nそれぞれに備えたファンユニット212,…,2n2内の各ファンに設定可能な回転数として、いずれかの基地局ユニットのファンユニット内のファンの故障時において筐体4内の各ファンユニットから排出される廃熱の総風量と前記冷却ユニットにおいて前記廃熱を吸入する風量との間の風量協調動作が可能な協調回転数を少なくとも有する。ファンユニット内のファン故障発生時に、アラーム状態に切り替え、自ファンユニット内の故障していない残りのファンの回転数を前記協調回転数に設定するとともに、アラーム信号線32を介して他の基地局ユニットに対してアラーム状態の発生を通知する。【選択図】        図１
2014154748.tif 000002
【特許請求の範囲】
【請求項１】
１ないし複数の冷却用のファンを実装したファンユニットをそれぞれに備えた複数の基地局ユニットを、内部の廃熱を外に放熱する冷却ユニットを備えた筐体内に実装する場合において、前記基地局ユニットの前記ファンユニット内のファンの動作を制御するファン制御システムであって、
前記ファンユニット内の各ファンに設定可能な回転数として、通常運用時における回転数である通常回転数の他に、いずれかの前記基地局ユニットの前記ファンユニット内のファンの故障時において前記筐体内の複数の前記ファンユニットから排出される廃熱の総風量と前記冷却ユニットにおいて前記廃熱を吸入する風量との間の風量協調動作が可能な協調回転数を少なくとも有し、
前記基地局ユニットの前記ファンユニット内のファンに故障が発生した場合、通常運用状態からアラーム状態に切り替えて、自基地局ユニットの前記ファンユニット内の故障していない残りのファンの回転数を前記協調回転数に設定するように制御するとともに、前記アラーム状態が発生した旨を他の前記基地局ユニットに対して通知することを特徴とするファン制御システム。
【請求項２】
前記基地局ユニットの前記ファンユニットから排出される廃熱の温度がファンの異常を示すアラーム状態検出用としてあらかじめ定めたアラーム温度閾値を超えた場合、通常運用状態から前記アラーム状態に切り替えて、自基地局ユニットの前記ファンユニット内のファンの回転数を前記協調回転数に設定するように制御するとともに、前記アラーム状態が発生した旨を他の前記基地局ユニットに対して通知することを特徴とする請求項１に記載のファン制御システム。
【請求項３】
前記冷却ユニットおよび各前記基地局ユニットとの間に、前記基地局ユニットの前記ファンユニットのアラーム状態を通知するアラーム信号線を備え、
前記基地局ユニットの前記ファンユニットは、前記アラーム状態が発生した際に、前記アラーム状態が発生した旨の通知を、前記アラーム信号線を介して、前記冷却ユニットおよび他の前記基地局ユニットに送信し、
前記基地局ユニットの前記ファンユニットは、他の前記基地局ユニットから前記アラーム状態が発生した旨の通知を、前記アラーム信号線を介して受け取った場合、自基地局ユニットの前記ファンユニット内のファンの回転数を前記協調回転数に設定するように制御することを特徴とする請求項１または２に記載のファン制御システム。
【請求項４】
前記冷却ユニットおよび各前記基地局ユニットとの間に、前記筐体に実装されたことを示す実装モード信号を前記冷却ユニットから送信するモード信号線を備え、
前記基地局ユニットの前記ファンユニットが、前記モード信号線を介して、前記実装モード信号を受信した場合、他の前記基地局ユニットが実装されている前記筐体に実装された状態を示す筐体実装モードとして動作し、自基地局ユニットに前記アラーム状態が発生した場合、または、他の前記基地局ユニットから前記アラーム状態が発生した旨の通知を受け取った場合、自基地局ユニットの前記ファンユニット内の故障していないファンの回転数を前記協調回転数に設定するように制御するとともに、他の前記基地局ユニットに対して前記アラーム状態が発生した旨の通知を出力し、
一方、前記基地局ユニットの前記ファンユニットが、前記モード信号線を介して、前記実装モード信号を受信していない場合は、単独で動作する状態を示す単独運用モードとして動作し、自基地局ユニットに前記アラーム状態が発生した場合、自基地局ユニットの前記ファンユニット内の故障していないファンの回転数を、故障したファンの不足分の冷却風量を補うために、前記協調回転数に比しより高速に回転する高速回転数としてあらかじめ定めた回転数に設定するように制御することを特徴とする請求項１ないし３のいずれかに記載のファン制御システム。
【請求項５】
前記基地局ユニットの前記ファンユニットは、前記筐体実装モードにおいて、前記基地局ユニットの前記ファンユニットから排出される廃熱の温度が、異常温度としてあらかじめ定めた異常温度閾値を超えた場合、自基地局ユニットの前記ファンユニット内のファンの回転数を、前記通常回転数または前記協調回転数から、前記協調回転数に比しより高速に回転する高速回転数としてあらかじめ定めた回転数に設定するように制御することを特徴とする請求項４に記載のファン制御システム。
【請求項６】
前記基地局ユニットの前記ファンユニットは、前記筐体実装モードの場合と前記単独運用モードの場合とのそれぞれで、自基地局ユニットの前記ファンユニット内の各ファンの回転数を、異なる値の回転数を用いて制御することを特徴とする請求項４ないし６のいずれかに記載のファン制御システム。
【請求項７】
１ないし複数の冷却用のファンを実装したファンユニットをそれぞれに備えた複数の基地局ユニットを、内部の廃熱を外に放熱する冷却ユニットを備えた筐体内に実装する場合において、前記基地局ユニットの前記ファンユニット内のファンの動作を制御するファン制御方法であって、
前記ファンユニット内の各ファンに設定可能な回転数として、通常運用時における回転数である通常回転数の他に、いずれかの前記基地局ユニットの前記ファンユニット内のファンの故障時において前記筐体内の複数の前記ファンユニットから排出される廃熱の総風量と前記冷却ユニットにおいて前記廃熱を吸入する風量との間の風量協調動作が可能な協調回転数を少なくとも有し、
前記基地局ユニットの前記ファンユニット内のファンに故障が発生した場合、通常運用状態からアラーム状態に切り替えて、自基地局ユニットの前記ファンユニット内の故障していない残りのファンの回転数を前記協調回転数に設定するように制御するとともに、前記アラーム状態が発生した旨を他の前記基地局ユニットに対して通知することを特徴とするファン制御方法。
【請求項８】
前記基地局ユニットの前記ファンユニットから排出される廃熱の温度がファンの異常を示すアラーム状態検出用としてあらかじめ定めたアラーム温度閾値を超えた場合、通常運用状態から前記アラーム状態に切り替えて、自基地局ユニットの前記ファンユニット内のファンの回転数を前記協調回転数に設定するように制御するとともに、前記アラーム状態が発生した旨を他の前記基地局ユニットに対して通知することを特徴とする請求項７に記載のファン制御方法。
【請求項９】
前記冷却ユニットおよび各前記基地局ユニットとの間に、前記基地局ユニットの前記ファンユニットのアラーム状態を通知するアラーム信号線を備え、
前記基地局ユニットの前記ファンユニットは、前記アラーム状態が発生した際に、前記アラーム状態が発生した旨の通知を、前記アラーム信号線を介して、前記冷却ユニットおよび他の前記基地局ユニットに送信し、
前記基地局ユニットの前記ファンユニットは、他の前記基地局ユニットから前記アラーム状態が発生した旨の通知を、前記アラーム信号線を介して受け取った場合、自基地局ユニットの前記ファンユニット内のファンの回転数を前記協調回転数に設定するように制御することを特徴とする請求項７または８に記載のファン制御方法。
【請求項１０】
請求項７ないし９のいずれかに記載のファン制御方法を、コンピュータによって実行可能なプログラムとして実施していることを特徴とするファン制御プログラム。
【発明の詳細な説明】
【技術分野】
【０００１】
本発明は、ファン制御システム、ファン制御方法およびファン制御プログラムに関し、特に、同一筐体に複数のファンが設置されることが可能な環境下で、ファンの回転数を制御するファン制御システム、ファン制御方法およびファン制御プログラムに関する。本発明は、例えば、携帯電話システムに使用される複数の装置が並列に同時運用される基地局装置およびそれに類似するシステムに好適に適用することができる
【背景技術】
【０００２】
既存設計された基地局ユニットは、その運用用途上の問題、例えば、異なる周波数バリエーションのサービスを行う際における設置済みの複数台のユニットのメンテナンスや、置局の際の設置場所の制約等の問題から、より大きなシェルタ構造を有する筐体に一括収容される場合が多い。その際の内部冷却方式については、当然のことながら、筐体の冷却能力と冷却方式とに親和性を有する方式が求められる。
【０００３】
携帯電話等の基地局装置に使用される基地局ユニットは、一般に、単一機能（例えば、周波数帯域別、変復調部、無線増幅部などの各機能）単位でユニット化された基地局ユニットによって構成される。ｎ個（ｎ：任意の正整数）の基地局ユニット１（ＢＳＵ＃１）２１，…，基地局ユニットｎ（ＢＳＵ＃ｎ）２ｎは、それぞれ、同一の冷却構造からなり、例えば、第１番目の基地局ユニット１（ＢＳＵ＃１）２１は、図５に示すように、Ｎ個（Ｎ：任意の正整数）の無線ユニット１（ＲＦＵ＃１）２１３１，…，無線ユニットＮ（ＲＦＵ＃Ｎ）２１３Ｎを実装し、また、それらの無線ユニット１（ＲＦＵ＃１）２１３１，…，無線ユニットＮ（ＲＦＵ＃Ｎ）２１３Ｎを冷却するための冷却用のファン１（ＦＡＮ＃１）２１２１，…，ファンＮ（ＦＡＮ＃Ｎ）２１２Ｎからなるファンユニット１（ＦＡＮＵ＃１）２１２を実装して構成される。図５は、従来の冷却制御システムにおける基地局ユニット（ＢＳＵ）の構成を示すブロック構成図である。
【０００４】
ファンユニット１（ＦＡＮＵ＃１）２１２は、無線ユニット１（ＲＦＵ＃１）２１３１，…，無線ユニットＮ（ＲＦＵ＃Ｎ）２１３Ｎのそれぞれが発生する熱を矢印付き点線Ｌ１に示すルートにより、基地局ユニット１（ＢＳＵ＃１）２１の外に廃熱として排出する。ここで、図５に示すファンユニット１（ＦＡＮＵ＃１）２１２による廃熱方式としては、プル方式（風を上部から吸い込み排出する）の場合を示しているが、基地局ユニット１（ＢＳＵ＃１）２１，…，基地局ユニットｎ（ＢＳＵ＃ｎ）２ｎそれぞれにおける廃熱方式は、かくのごとき方式に限ることなく、使用する基地局ユニットの冷却特性に見合った方式を選択することで良い。携帯電話システムなどの実際の運用においては、図５に示すような基地局ユニット（ＢＳＵ）を複数個同時運用することが必要であり、一般的には、同一ラックや同一筐体の中に一括収容して使用している。
【０００５】
図６は、従来の冷却制御システムにおいて同一筐体（ＳＬＴ）４内に基地局ユニット（ＢＳＵ）が複数個実装された場合の冷却イメージを説明するためのブロック構成図であり、筐体（ＳＬＴ）４の中に、周波数帯域別や変復調部、無線増幅部等の機能別に複数個（ｎ個）の基地局ユニット１（ＢＳＵ＃１）２１，…，基地局ユニットｎ（ＢＳＵ＃ｎ）２ｎが実装されている場合を示している。
【０００６】
一般に、筐体（ＳＬＴ）４には、実装しているｎ個の基地局ユニット１（ＢＳＵ＃１）２１，…，基地局ユニットｎ（ＢＳＵ＃ｎ）２ｎからなるシステム全体から排出される廃熱を筐体（ＳＬＴ）４の外に放熱するための冷却ユニット（ＨＥＵ）１が備えられている。冷却ユニット（ＨＥＵ）１は、クーラー、熱交換器などの冷却システムを使用するが、ここでは、冷却ユニット（ＨＥＵ）１として熱交換器を使用する場合を例として以下に説明する。
【０００７】
冷却ユニット（ＨＥＵ）１は、冷却ファン１（ＦＡＮ−Ｅ＃１）１２１、冷却ファン２（ＦＡＮ−Ｅ＃２）１２２、熱交換器１２３からなっており、矢印付き点線Ｌ２に示すように、ｎ個の基地局ユニット１（ＢＳＵ＃１）２１，…，基地局ユニットｎ（ＢＳＵ＃ｎ）２ｎそれぞれから図５に示したようなファンユニット１（ＦＡＮＵ＃１）２１２，…，ファンユニットｎ（ＦＡＮＵ＃ｎ）２ｎ２により排出されてくる廃熱を冷却ファン１（ＦＡＮ−Ｅ＃１）１２１で取り込む。
【０００８】
一方、冷却ファン２（ＦＡＮ−Ｅ＃２）１２２は、矢印付き点線Ｌ３に示すように、外部の冷気を取り込む。両者は、冷却ユニット（ＨＥＵ）１内部の熱交換コアすなわち熱交換器１２３にて、熱交換を行い、交換された熱は、筐体（ＳＬＴ）４の外部へ放出され、冷却された冷却風は筐体（ＳＬＴ）４内に送り込まれることによって、筐体（ＳＬＴ）４の内部の冷却を行う。なお、熱交換器１２３による熱交換のメカニズムについては、当該分野の技術者にとっては既知の技術であり、かつ、本発明と直接関係する技術ではないので、ここでの説明は省略する。
【０００９】
以上の説明においては、基地局ユニット１（ＢＳＵ＃１）２１，…，基地局ユニットｎ（ＢＳＵ＃ｎ）２ｎ内にそれぞれ実装されているファンユニット１（ＦＡＮＵ＃１）２１２，…，ファンユニットｎ（ＦＡＮＵ＃ｎ）２ｎ２に故障がない通常運用時の場合を説明しており、筐体（ＳＬＴ）４の冷却システム（すなわち冷却ユニット（ＨＥＵ）１を使用した冷却方式）によって、基地局ユニット１（ＢＳＵ＃１）２１，…，基地局ユニットｎ（ＢＳＵ＃ｎ）２ｎそれぞれが冷却される場合について説明したが、基地局ユニット１（ＢＳＵ＃１）２１，…，基地局ユニットｎ（ＢＳＵ＃ｎ）２ｎ内にそれぞれ実装されるファンユニット１（ＦＡＮＵ＃１）２１２，…，ファンユニットｎ（ＦＡＮＵ＃ｎ）２ｎ２のうちいずれかのファンユニット（ＦＡＮＵ）内のファンに故障等が発生する場合がある。
【００１０】
図７は、従来の冷却制御システムにおいて同一筐体（ＳＬＴ）４に実装された複数個（ｎ個）の基地局ユニット１（ＢＳＵ＃１）２１，…，基地局ユニットｎ（ＢＳＵ＃ｎ）２ｎのうちいずれかの基地局ユニット（ＢＳＵ）内のファンユニット（ＦＡＮＵ）の一部のファン（ＦＡＮ）に故障が生じた場合の様子を説明するためのブロック構成図であり、基地局ユニットｎ（ＢＳＵ＃ｎ）２ｎのファンユニットｎ（ＦＡＮＵ＃ｎ）２ｎ２内のファン１（ＦＡＮ＃１）２ｎ２１に故障が生じた場合の様子を例示している。ここで、故障したファン１（ＦＡＮ＃１）２ｎ２１に隣接する隣のファンは、ファンユニット（ＦＡＮＵ）２ｎ２内のファンＮ（ＦＡＮ＃Ｎ）２ｎ２Ｎであるものと仮定する。
【００１１】
図７に示すように、筐体（ＳＬＴ）４に実装された基地局ユニット（ＢＳＵ）のファンユニット（ＦＡＮＵ）内の一部のファン例えば第ｎ番目の基地局ユニットｎ（ＢＳＵ＃ｎ）２ｎのファンユニットｎ（ＦＡＮＵ＃ｎ）２ｎ２内のファン１（ＦＡＮ＃１）２ｎ２１に故障が生じた場合であっても、当該基地局ユニットｎ（ＢＳＵ＃ｎ）２ｎの運用状態を維持することを可能にする従来技術の一例として、特許文献１の特開２００２−０２７１０９号公報「無線基地局装置および無線基地局装置の資源管理方法」に開示されている技術がある。
【００１２】
前記特許文献１に記載の技術は、ファンの故障が生じた場合、故障したファンに隣接する隣のファンの冷却風により冷却能力を補うことによって、運用状態を維持することを可能にするという方式である。例えば、図７の場合のように、第ｎ番目の基地局ユニットｎ（ＢＳＵ＃ｎ）２ｎのファンユニットｎ（ＦＡＮＵ＃ｎ）２ｎ２内のファン１（ＦＡＮ＃１）２ｎ２１に故障が生じた場合には、基地局ユニットｎ（ＢＳＵ＃ｎ）２ｎ内の冷却性能を極力維持することを考慮して、故障したファン１（ＦＡＮ＃１）２ｎ２１に隣接する隣のファンＮ（ＦＡＮ＃Ｎ）２ｎ２Ｎの回転数を例えば最大の回転数に変更して、故障したファンの冷却対象範囲をもカバーして、冷却性能を維持することにしている。
【００１３】
かくのごときファンユニット内のファンの回転数を制御するための回転数制御プロファイルの一例を図８に例示する。図８は、従来の冷却制御システムにおける基地局ユニット（ＢＳＵ）のファンユニット（ＦＡＮＵ）の回転数制御プロファイルの一例を示すテーブルであり、図７に示すシステムにおいて第ｎ番目の基地局ユニットｎ（ＢＳＵ＃ｎ）２ｎのファンユニットｎ（ＦＡＮＵ＃ｎ）２ｎ２内のファンＮ（ＦＡＮ＃Ｎ）２ｎ２Ｎに関する回転数制御プロファイルの一例を示している。図８に示す回転数制御プロファイルは、隣のファンの状態を示す隣接ＦＡＮ状態５５と当該ファンの回転数を制御する制御回転数５６とから構成されており、Ｎｏ．１とＮｏ．２とに示すように、隣のファン（ＦＡＮ）例えばファン１（ＦＡＮ＃１）２ｎ２１の状態に応じて、外部から、回転数Ｆ１、回転数Ｆ２の２種類のいずれかの回転数への切替制御を行うことができるファンが、ファンＮ（ＦＡＮ＃Ｎ）２ｎ２Ｎとして用いられていることを示している。
【００１４】
図６に示したように、ファンユニットｎ（ＦＡＮＵ＃ｎ）２ｎ２内の隣のファン１（ＦＡＮ＃１）２ｎ２１が正常な状態にあった場合には、図８の回転数制御プロファイルとしてＮｏ．１の隣接ＦＡＮ状態５５が通常運用時の場合であり、ファンＮ（ＦＡＮ＃Ｎ）２ｎ２Ｎの回転数は、制御回転数５６に示すように、通常運用時の回転数Ｆ１に制御される。一方、図７の場合のように、隣のファン１（ＦＡＮ＃１）２ｎ２１が故障して、図８の回転数制御プロファイルとしてＮｏ．２の隣接ＦＡＮ状態５５がアラーム発生時の状態になった場合には、ファンＮ（ＦＡＮ＃Ｎ）２ｎ２Ｎの回転数は、図８の制御回転数５６に示すように、故障したファン１（ＦＡＮ＃１）２ｎ２１の不足分の冷却風量を補って、基地局ユニット２ｎの冷却性能を維持するために、通常運用時の回転数Ｆ１とは異なる回転数Ｆ２に制御される。ここで、回転数Ｆ２＞回転数Ｆ１であり、回転数Ｆ２の方が高速回転であることを意味している。
【００１５】
なお、近年のファンは、ＰＷＭ（Pulse  Width  Modulation）制御と称して、ファンの回転数を電気パルス信号幅によって制御するものが多く、入力信号（ＤＣレベル）の大きさに応じてパルス信号幅のデュ−ティ・サイクル（パルス幅のＨｉｇｈレベルとＬｏｗレベルとの比）を変え、ファンの駆動モータを制御する方式を採用している。かくのごときＰＷＭ制御方式を採用する場合には、図８の制御回線数５６に示す回転数Ｆ１および回転数Ｆ２として、ファンの回転数との間に相関を有する電気的なパルスのデュ−ティ・サイクルを設定すれば良い。この場合には、外部から供給するＰＷＭ信号を用いてファンの駆動モータを制御することにより、ファンの回転数を外部から制御することが可能である。
【先行技術文献】
【特許文献】
【００１６】
【特許文献１】特開２００２−０２７１０９号公報（第５−７頁）
【発明の開示】
【発明が解決しようとする課題】
【００１７】
前述したように、前記特許文献１に記載されているような従来の技術においては、例えば、図７に示したように、基地局ユニットｎ（ＢＳＵ＃ｎ）２ｎのファンユニットｎ（ＦＡＮＵ＃ｎ）２ｎ２内のファン１（ＦＡＮ＃１）２ｎ２１に故障が生じた場合には、図８に示すような回転数制御プロファイルを参照して、故障したファン１（ＦＡＮ＃１）２ｎ２１に隣接する隣のファンＮ（ＦＡＮ＃Ｎ）２ｎ２Ｎの回転数を例えばＰＷＭ信号を用いて制御して、回転数Ｆ１から回転数Ｆ２に上昇させて、故障したファン１（ＦＡＮ＃１）２ｎ２１の不足分の冷却風量を補う制御を行うことにより、基地局ユニット２ｎの冷却性能を維持することができる。
【００１８】
かくのごとき動作は、基地局ユニットｎ（ＢＳＵ＃ｎ）２ｎが、他の基地局ユニット（ＢＳＵ）と同一の筐体（ＳＬＴ）内に実装されずに、単独で運用されているケース（単独運用モード時）においては、故障したファン１（ＦＡＮ＃１）２ｎ２１に隣接する隣のファンＮ（ＦＡＮ＃Ｎ）２ｎ２Ｎの回転数をより高速に回転する高速回転数例えば最大の回転数まで上昇させることにより、より大きな冷却効果を得ることができるので、確かに効率的である。しかしながら、図６や図７に示したように、複数個例えばｎ個の基地局ユニット１（ＢＳＵ＃１）２１，…，基地局ユニットｎ（ＢＳＵ＃ｎ）２ｎが同一筐体（ＳＬＴ）４に実装されているケース（筐体実装モード時）においては、かくのごとき動作が不具合発生要因の一つになる。
【００１９】
つまり、図７に示すように、基地局ユニットｎ（ＢＳＵ＃ｎ）２ｎは、他の基地局ユニット（ＢＳＵ）とともに筐体（ＳＬＴ）４内に実装されて、冷却ユニット（ＨＥＵ）１の冷却制御下にある。しかし、冷却ユニット（ＨＥＵ）１は、基地局ユニットｎ（ＢＳＵ＃ｎ）２ｎにおける異常を検知することができないために、冷却ユニット（ＨＥＵ）１内の冷却ファン１（ＦＡＮ−Ｅ＃１）１２１および冷却ファン２（ＦＡＮ−Ｅ＃２）１２２は、基地局ユニット（ＢＳＵ）内のファンユニット（ＦＡＮＵ）の故障発生の有無に関わらず、通常運用時におけるファン回転数のままの運用を継続することになる。
【００２０】
この結果、基地局ユニット（ＢＳＵ）内のファンユニット（ＦＡＮＵ）の故障例えば基地局ユニットｎ（ＢＳＵ＃ｎ）２ｎのファンユニットｎ（ＦＡＮＵ＃ｎ）２ｎ２のファン１（ＦＡＮ＃１）２ｎ２１が故障した場合には、冷却ファン１（ＦＡＮ−Ｅ＃１）１２１が吸気する風量と該基地局ユニットｎ（ＢＳＵ＃ｎ）２ｎを含む各基地局ユニット（ＢＳＵ）から排出される総風量との間にミスマッチが生じ、図７に示すように、筐体（ＳＬＴ）４の内部に滞留熱が生じてしまい、滞留熱による発熱領域の増加により、筐体（ＳＬＴ）４に実装されている基地局ユニット１（ＢＳＵ＃１）２１，…，基地局ユニットｎ（ＢＳＵ＃ｎ）２ｎの動作や寿命に支障が生じる可能性が高くなるという問題が発生する。
【００２１】
（本発明の目的）
本発明は、かかる事情に鑑みてなされたものであり、同一の筐体内に複数の基地局ユニット（ＢＳＵ）を実装した場合に、各基地局ユニット（ＢＳＵ）のファンユニット（ＦＡＮＵ）内の冷却用のファンの故障の有無に関係なく、各基地局ユニット（ＢＳＵ）の冷却性能を確実に維持することが可能なファン制御システム、ファン制御方法およびファン制御プログラムを提供することを、その目的としている。
【課題を解決するための手段】
【００２２】
前述の課題を解決するため、本発明によるファン制御システム、ファン制御方法およびファン制御プログラムは、主に、次のような特徴的な構成を採用している。
【００２３】
（１）本発明によるファン制御システムは、１ないし複数の冷却用のファンを実装したファンユニットをそれぞれに備えた複数の基地局ユニットを、内部の廃熱を外に放熱する冷却ユニットを備えた筐体内に実装する場合において、前記基地局ユニットの前記ファンユニット内のファンの動作を制御するファン制御システムであって、
前記ファンユニット内の各ファンに設定可能な回転数として、通常運用時における回転数である通常回転数の他に、いずれかの前記基地局ユニットの前記ファンユニット内のファンの故障時において前記筐体内の複数の前記ファンユニットから排出される廃熱の総風量と前記冷却ユニットにおいて前記廃熱を吸入する風量との間の風量協調動作が可能な協調回転数を少なくとも有し、
前記基地局ユニットの前記ファンユニット内のファンに故障が発生した場合、通常運用状態からアラーム状態に切り替えて、自基地局ユニットの前記ファンユニット内の故障していない残りのファンの回転数を前記協調回転数に設定するように制御するとともに、前記アラーム状態が発生した旨を他の前記基地局ユニットに対して通知することを特徴とする。
【００２４】
（２）本発明によるファン制御方法は、１ないし複数の冷却用のファンを実装したファンユニットをそれぞれに備えた複数の基地局ユニットを、内部の廃熱を外に放熱する冷却ユニットを備えた筐体内に実装する場合において、前記基地局ユニットの前記ファンユニット内のファンの動作を制御するファン制御方法であって、
前記ファンユニット内の各ファンに設定可能な回転数として、通常運用時における回転数である通常回転数の他に、いずれかの前記基地局ユニットの前記ファンユニット内のファンの故障時において前記筐体内の複数の前記ファンユニットから排出される廃熱の総風量と前記冷却ユニットにおいて前記廃熱を吸入する風量との間の風量協調動作が可能な協調回転数を少なくとも有し、
前記基地局ユニットの前記ファンユニット内のファンに故障が発生した場合、通常運用状態からアラーム状態に切り替えて、自基地局ユニットの前記ファンユニット内の故障していない残りのファンの回転数を前記協調回転数に設定するように制御するとともに、前記アラーム状態が発生した旨を他の前記基地局ユニットに対して通知することを特徴とする。
【００２５】
（３）本発明によるファン制御プログラムは、少なくとも前記（２）に記載のファン制御方法を、コンピュータによって実行可能なプログラムとして実施していることを特徴とする。
【発明の効果】
【００２６】
本発明のファン制御システム、ファン制御方法およびファン制御プログラムによれば、以下のような効果を奏することができる。
【００２７】
複数の基地局ユニット（ＢＳＵ）が冷却ユニット（ＨＥＵ）を備えた筐体（ＳＬＴ）内に実装されている場合において、いずれかの基地局ユニット（ＢＳＵ）のファンユニット（ＦＡＮＵ）内のファン（ＦＡＮ）に故障が発生してアラーム状態になった場合には、筐体（ＳＬＴ）内のすべての基地局ユニット（ＢＳＵ）のファンユニット（ＦＡＮＵ）のファン（ＦＡＮ）を、冷却ユニット（ＨＥＵ）との風量協調動作が可能な回転数（協調回転数）で回転するように制御することが可能であるので、結果的に、筐体（ＳＬＴ）内の風流が安定的に循環する状態になって、筐体（ＳＬＴ）の総合的な冷却能力を向上させることができ、ファン（ＦＡＮ）の故障が発生した場合であっても、筐体（ＳＬＴ）に実装されている各基地局ユニット（ＢＳＵ）の動作や寿命に支障が生じることを確実に防ぐことができる。
【図面の簡単な説明】
【００２８】
【図１】本発明の冷却制御システムにおける基地局ユニット（ＢＳＵ）の構成の一例を示すブロック構成図である。
【図２】図１に示すファン制御システムにおいて同一筐体（ＳＬＴ）内に実装される各基地局ユニット（ＢＳＵ）内のファンユニット（ＦＡＮＵ）の内部構成の一例を説明するためのブロック構成図である。
【図３】図１に示す冷却制御システムにおける基地局ユニット（ＢＳＵ）のファンユニット（ＦＡＮＵ）の回転数制御プロファイルの一例を示すテーブルと説明図とである。
【図４】図１に示す冷却制御システムにおける基地局ユニット（ＢＳＵ）のファンユニット（ＦＡＮＵ）の回転数制御プロファイルの図３とは異なる他の例を示すテーブルである。
【図５】従来の冷却制御システムにおける基地局ユニット（ＢＳＵ）の構成を示すブロック構成図である。
【図６】従来の冷却制御システムにおいて同一筐体（ＳＬＴ）内に基地局ユニット（ＢＳＵ）が複数個実装された場合の冷却イメージを説明するためのブロック構成図である。
【図７】従来の冷却制御システムにおいて同一筐体（ＳＬＴ）に実装された複数個の基地局ユニット（ＢＳＵ）のうちいずれかの基地局ユニット（ＢＳＵ）内のファンユニット（ＦＡＮＵ）の一部のファン（ＦＡＮ）に故障が生じた場合の様子を説明するためのブロック構成図である。
【図８】従来の冷却制御システムにおける基地局ユニット（ＢＳＵ）のファンユニット（ＦＡＮＵ）の回転数制御プロファイルの一例を示すテーブルである。
【発明を実施するための形態】
【００２９】
以下、本発明によるファン制御システム、ファン制御方法およびファン制御プログラムの好適な実施形態について添付図を参照して説明する。なお、以下の説明においては、本発明によるファン制御システムおよびファン制御方法について説明するが、かかるファン制御方法をコンピュータにより実行可能なファン制御プログラムとして実施するようにしても良いし、あるいは、ファン制御プログラムをコンピュータにより読み取り可能な記録媒体に記録するようにしても良いことは言うまでもない。
【００３０】
（本発明の特徴）
本発明の実施形態の説明に先立って、本発明の特徴についてその概要をまず説明する。本発明は、携帯電話等の基地局装置に使用する基地局ユニットが同一筐体内に複数個実装される筐体実装モードか、または、他の基地局ユニットとは独立して単独で運用される単独運用モードかを示す実装モードを備え、実装モードが筐体実装モードであった場合には、各基地局ユニットの冷却用のファンの回転数を制御する回転数制御プロファイルとして単独運用モード時における回転数制御プロファイルとは異なる設定内容を用いることにより、同一筐体内に複数個実装した場合において、いずれかの基地局ユニットの冷却用のファンに異常が発生した場合であっても、筐体としての冷却性能の劣化を最小限に抑えることを可能にすることを主要な特徴としている。
【００３１】
より具体的には、例えば図６に示した従来技術のブロック構成にさらに次のような構成要素を追加して備えている。
【００３２】
（１）モード信号線の追加
筐体（ＳＬＴ）に実装される複数の基地局ユニットから排出される廃熱を筐体（ＳＬＴ）の外に放熱するための冷却ユニット（ＨＥＵ）から、各基地局ユニット（ＢＳＵ）それぞれに対して、複数の基地局ユニット（ＢＳＵ）を同一筐体（ＳＬＴ）に実装して運用中であることを認識させるための実装モード信号（すなわち、基地局ユニット（ＢＳＵ）が他の基地局ユニット（ＢＳＵ）と同一筐体（ＳＬＴ）内に実装されている筐体実装モードか、基地局ユニット（ＢＳＵ）が他の基地局ユニット（ＢＳＵ）とは独立して単独で運用されている単独運用モードであるかを示すモード信号）を出力する出力信号線をモード信号線として追加する。
【００３３】
（２）アラーム信号線の追加
各基地局ユニット（ＢＳＵ）内のファンユニット（ＦＡＮＵ）および廃熱放熱用の冷却ユニット（ＨＥＵ）のアラーム状態を、冷却ユニット（ＨＥＵ）および各基地局ユニット（ＢＳＵ）内のファンユニット（ＦＡＮＵ）間で相互に通知し合うための双方向性のアラーム信号線を追加する。
【００３４】
（３）ファンユニット（ＦＡＮＵ）の冷却用のファンの制御回転数の追加
各基地局ユニット内のファンユニット（ＦＡＮＵ）のファンの制御回転数として、筐体実装モードおよび単独運用モードにおける通常運用時の通常回転数Ｆ１およびファン故障発生時（アラーム（ＡＬＭ）発生時）の高速回転数Ｆ２（例えば最大の回転数）の他に、さらに、筐体実装モードにおいては、第２アラーム（ＡＬＭ２）の発生時として風量の協調動作が可能な中間回転数を協調回転数Ｆ３として追加し、ファンの制御回転数として回転数Ｆ１、Ｆ２、Ｆ３の３種類を用意する。ここで、高速回転数Ｆ２＞協調回転数Ｆ３＞通常回転数Ｆ１の関係にある。
【００３５】
つまり、筐体実装モードにおいて、ファン故障が発生した場合、ファンユニット（ＦＡＮＵ）から排出される廃熱の温度が、異常温度としてあらかじめ定めた異常温度閾値Ｔ０以下であった場合には、冷却ユニット（ＨＥＵ）が吸気する風量と各基地局ユニット（ＢＳＵ）のファンユニット（ＦＡＮＵ）から排出される総風量とのマッチングを図り、筐体（ＳＬＴ）内の滞留熱が生じないように、第２アラーム（ＡＬＭ２）状態が発生したものと判定して、ファンの回転数を、高速回転数Ｆ２までは上昇させずに、協調回転数（中間回転数）Ｆ３まで上昇させて、風量協調動作を行わせ、ファンユニット（ＦＡＮＵ）の温度が異常温度閾値Ｔ０を超えた場合に、より急激な冷却を要するアラーム（ＡＬＭ）状態が発生しているものと判定して、高速回転数Ｆ２まで上昇させて冷却を行う動作を行わせる。
【００３６】
（本発明の実施形態の構成例）
次に、本発明の実施形態におけるファン制御システムについて、図１を用いて詳細に説明する。図１は、本発明の冷却制御システムにおける基地局ユニット（ＢＳＵ）の構成の一例を示すブロック構成図であり、基本的な構成は、従来技術として示した図６のファン制御システムの場合と同様であって、同一筐体（ＳＬＴ）４内に、複数個（ｎ個）の基地局ユニット１（ＢＳＵ＃１）２１,…，基地局ユニットｎ（ＢＳＵ＃ｎ）２ｎと、各基地局ユニット（ＢＳＵ）から排出されてくる筐体（ＳＬＴ）４内部の廃熱を筐体（ＳＬＴ）４の外に放熱するための冷却ユニット（ＨＥＵ）１と、を少なくとも備えて構成されている。
【００３７】
筐体（ＳＬＴ）４内に実装されるｎ個の基地局ユニット１（ＢＳＵ＃１）２１，…，基地局ユニットｎ（ＢＳＵ＃ｎ）２ｎそれぞれは、図６の場合と同様、基地局ユニット１（ＢＳＵ＃１）２１には１ないし複数の無線ユニット１（ＲＦＵ＃１）２１３１，…，無線ユニットＮ（ＲＦＵ＃Ｎ）２１３Ｎ、および、１ないし複数のファン１（ＦＡＮ＃１）２１２１，…，ファンＮ（ＦＡＮ＃Ｎ）２１２Ｎからなるファンユニット１（ＦＡＮＵ＃１）２１２を少なくとも備え、…、基地局ユニットｎ（ＢＳＵ＃ｎ）２ｎには１ないし複数の無線ユニット１（ＲＦＵ＃１）２ｎ３１，…，無線ユニットＮ（ＲＦＵ＃Ｎ）２ｎ３Ｎ、および、１ないし複数のファン１（ＦＡＮ＃１）２ｎ２１，…，ファンＮ（ＦＡＮ＃Ｎ）２ｎ２Ｎからなるファンユニットｎ（ＦＡＮＵ＃ｎ）２ｎ２を少なくとも備えて構成される。
【００３８】
さらに、図１に示すファン制御システムにおいては、図６に示した従来の場合とは異なり、冷却ユニット（ＨＥＵ）１と基地局ユニット１（ＢＳＵ＃１）２１，…，基地局ユニットｎ（ＢＳＵ＃ｎ）２ｎそれぞれとの間は、モード信号線３１とアラーム信号線３２とによって接続される。つまり、基地局ユニット１（ＢＳＵ＃１）２１，…，基地局ユニットｎ（ＢＳＵ＃ｎ）２ｎを、他の基地局ユニット（ＢＳＵ）と同一の筐体（ＳＬＴ）４に実装する際には、冷却ユニット（ＨＥＵ）１にあらかじめ配線されているモード信号線３１とアラーム信号線３２とに接続され、モード信号線３１を介して、他の基地局ユニット（ＢＳＵ）と同一筐体（ＳＬＴ）４内に実装されたか否かをＯＮ・ＯＦＦ信号として示す実装モード信号（ＭＯＤＥ）を冷却ユニット（ＨＥＵ）１から受信することができるとともに、アラーム信号線３２を介して冷却ユニット（ＨＥＵ）１および他の基地局ユニット（ＢＳＵ）との間でアラーム信号（ＡＬＭまたはＡＬＭ２）を送受信することができる状態に設定される。
【００３９】
なお、ファンユニット１（ＦＡＮＵ＃１）２１２，…，ファンユニットｎ（ＦＡＮ＃ｎ）２ｎ２それぞれの内部には、自ファンユニット（ＦＡＮＵ）内の各ファン（ＦＡＮ）を制御するファン制御部（ＣＯＮＴ−Ｆ）２１３，…，ファン制御部（ＣＯＮＴ−Ｆ）２ｎ３が備えられており、冷却ユニット（ＨＥＵ）１内部には、自冷却ユニット（ＨＥＵ）１内の冷却ファン１（ＦＡＮ−Ｅ＃１）１２１、冷却ファン２（ＦＡＮ−Ｅ＃２）１２２と、両者の冷却ファンを制御する冷却ユニット制御部（ＣＯＮＴ−Ｈ）１１とが備えられている。
【００４０】
ここで、アラーム信号線３２を介して送受信されるアラーム信号（ＡＬＭまたはＡＬＭ２）は双方向性の信号であり、冷却ユニット（ＨＥＵ）１の冷却ユニット制御部（ＣＯＮＴ−Ｈ）１１が、各基地局ユニット（ＢＳＵ）のファンユニット（ＦＡＮＵ）内のファン故障に関する異常（アラーム）発生の有無を認識することができるとともに、また、各基地局ユニット（ＢＳＵ）のファンユニット（ＦＡＮＵ）のファン制御部（ＣＯＮＴ−Ｆ）２１３，…，ファン制御部（ＣＯＮＴ−Ｆ）２ｎ３それぞれにおいても、冷却ユニット（ＨＥＵ）１の冷却ファン故障に関する異常（アラーム）の発生の有無、さらには、他の基地局ユニット（ＢＳＵ）のファンユニット（ＦＡＮＵ）内のファン故障に関する異常（アラーム）発生の有無を冷却ユニット（ＨＥＵ）１を経由して認識することができる。
【００４１】
また、モード信号線３１を介して冷却ユニット（ＨＥＵ）１から各基地局ユニット（ＢＳＵ）に送信する実装モード信号（ＭＯＤＥ）は、後述する回転数制御プロファイルの参照すべき場所を検索する際に用いられ、基地局ユニット（ＢＳＵ）の異常（アラーム）発生時における各基地局ユニット（ＢＳＵ）のファン（ＦＡＮ）の回転数を制御するための契機（トリガ）となる信号であり、筐体（ＳＬＴ）４内の各基地局ユニット（ＢＳＵ）からの風量と冷却ユニット（ＨＥＵ）１が取り込む風量とを協調させることが可能な風量協調モードにおける制御回転数すなわち第２アラーム（ＡＬＭ２）における協調回転数Ｆ３に各基地局ユニット（ＢＳＵ）のファン（ＦＡＮ）の回転数を制御するための契機を与える。
【００４２】
つまり、冷却ユニット（ＨＥＵ）１からの実装モード信号がＯＮであった場合には、他の基地局ユニット（ＢＳＵ）と同一の筐体（ＳＬＴ）４内に実装された筐体実装モードの場合であり、いずれかの基地局ユニット（ＢＳＵ）のファンユニット（ＦＡＮＵ）内のファンが故障した場合であっても、筐体（ＳＬＴ）４内に図７に示したような滞留熱が発生することがないように、回転制御プロファイルの設定内容を参照して、各基地局ユニット（ＢＳＵ）のファンユニット（ＦＡＮＵ）内のファンの回転数を、風量協調モードにおける回転数である協調回転数Ｆ３に設定する契機を与える。
【００４３】
一方、冷却ユニット（ＨＥＵ）１からの実装モード信号がＯＦＦであった場合には、他の基地局ユニット（ＢＳＵ）と同一の筐体（ＳＬＴ）４内には実装されていない単独運用モードの場合であり、故障したファンの不足分の冷却風量を補って、冷却効果を最大限に発揮させるように、当該基地局ユニット（ＢＳＵ）のファンユニット（ＦＡＮＵ）内のファンの回転数を、協調回転数Ｆ３よりも高速に回転する高速回転数Ｆ２に設定する契機を与える。
【００４４】
次に、各基地局ユニット（ＢＳＵ）内に内蔵されるファンユニット（ＦＡＮＵ）の内部構成の一例を、図２に示す。図２は、図１に示すファン制御システムにおいて同一筐体（ＳＬＴ）４内に実装される各基地局ユニット（ＢＳＵ）内のファンユニット（ＦＡＮＵ）の内部構成の一例を説明するためのブロック構成図であり、筐体（ＳＬＴ）４の中に実装されるｎ個の基地局ユニット１（ＢＳＵ＃１）２１，…，基地局ユニットｎ（ＢＳＵ＃ｎ）２ｎのうち、第ｎ番目の基地局ユニットｎ（ＢＳＵ＃ｎ）２ｎ内のファンユニットｎ（ＦＡＮＵ＃ｎ）２ｎ２を例にとって示している。
【００４５】
一般的には、ファンユニット（ＦＡＮＵ）は、冷却対象となる物品の特性に応じて異なるファン（ＦＡＮ）数量や回線数制御プロファイルを用意するのが現実的であるが、ここでは、説明の簡単化のために、各基地局ユニット（ＢＳＵ）における特性はすべて共通であるものとして、第ｎ番目の基地局ユニットｎ（ＢＳＵ＃ｎ）２１以外の他の基地局ユニット（ＢＳＵ）内のファンユニット（ＦＡＮＵ）についても、図２に示すファンユニットｎ（ＦＡＮＵ＃ｎ）２ｎ２と全く同様の構成からなり、ファンユニット（ＦＡＮＵ）内のファン（ＦＡＮ）の回転数を制御するための回線数制御プロファイルもすべて同一の設定内容からなっているものと仮定する。
【００４６】
図２に示すように、基地局ユニットｎ（ＢＳＵ＃ｎ）２ｎ内のファンユニットｎ（ＦＡＮＵ＃ｎ）２ｎ２は、ファン１（ＦＡＮ＃１）２ｎ２１，…，ファンＮ（ＦＡＮ＃Ｎ）２ｎ２Ｎと、これらの各ファン（ファン１（ＦＡＮ＃１）２ｎ２１，…，ファンＮ（ＦＡＮ＃Ｎ）２ｎ２Ｎ）の回転数を、回転数制御プロファイルを参照しながら、ソフトウェア動作によって制御するファン制御部（ＣＯＮＴ−Ｆ）２ｎ３と、基地局ユニットｎ（ＢＳＵ＃ｎ）２ｎから排出される廃熱の温度すなわちファンユニットｎ（ＦＡＮＵ＃ｎ）２ｎ２内の温度を検知する温度センサ（ＴＥＭＰ）２ｎ８と、の各機能ブロックを少なくとも含んで構成される。
【００４７】
ファン制御部（ＣＯＮＴ−Ｆ）２ｎ３は、ファンユニットｎ（ＦＡＮＵ＃ｎ）２ｎ２内の動作を制御するためのファン制御プログラムの動作を実行する中央処理部（ＣＰＵ）２ｎ４と、実装モード（ＭＯＤＥ）とファンユニットｎ（ＦＡＮＵ＃ｎ）２ｎ２内の温度とファン（ＦＡＮ）の状態とファン（ＦＡＮ）の回転数との対応関係を回転数制御プロファイルとしてデジタルデータの形式であらかじめ保存するメモリ部（ＭＥＭ）２ｎ５と、ファン（ＦＡＮ）の回転数の制御を行うための３種類のＰＷＭ信号の源となるクロック信号を発振するＣＬＫ発生器１（ＣＬＫＦ１）２ｎ６１，ＣＬＫ発生器２（ＣＬＫＦ２）２ｎ６２，ＣＬＫ発生器３（ＣＬＫＦ３）２ｎ６３と、３種類のクロック信号の中から各ファン（ＦＡＮ）に供給するクロック信号を選択して切り替えるためのクロック切替部（ＳＷ）２ｎ７と、を少なくとも含んで構成される。
【００４８】
中央処理部（ＣＰＵ）２ｎ４は、冷却ユニット（ＨＥＵ）１から実装モード信号として通知されてくる基地局ユニットｎ（ＢＳＵ＃ｎ）２ｎの実装状態と、冷却ユニット（ＨＥＵ）１からアラーム信号として通知されてくる他の基地局ユニット（ＢＳＵ）内のファンユニット（ＦＡＮＵ）に関するアラーム状態と、温度センサ（ＴＥＭＰ）２ｎ８が検知した検知温度Ｔと、ファン警報線２ｎ２０から通知されてくる各ファン（ＦＡＮ）の故障の有無を示す信号と、に基づいて、メモリ部（ＭＥＭ）２ｎ５に回転数制御プロファイルとしてあらかじめ保存されている設定内容との対応関係を参照して、ファンユニットｎ（ＦＡＮＵ＃ｎ）２ｎ２のファン１（ＦＡＮ＃１）２ｎ２１，…，ファンＮ（ＦＡＮ＃Ｎ）２ｎ２Ｎの回転数を制御するための制御信号を作成して、クロック切替制御信号としてクロック切替制御信号線２ｎ４１を介してクロック切替部（ＳＷ）２ｎ７に対して出力する。
【００４９】
ここで、中央処理部（ＣＰＵ）２ｎ４は、温度センサ（ＴＥＭＰ）２ｎ８が検知した検知温度Ｔを、温度信号線２ｎ８１を介して受け取ることによって、常時監視するとともに、ファンユニットｎ（ＦＡＮＵ＃ｎ）２ｎ２のファン１（ＦＡＮ＃１）２ｎ２１，…，ファンＮ（ＦＡＮ＃Ｎ）２ｎ２Ｎそれぞれの運転状態（正常状態、故障状態）を、ファン警報信号としてファン警報線２ｎ２０を介して受け取っている。いずれかのファン（ＦＡＮ）の故障状態が検知され、アラーム状態が発生した場合は、アラーム信号として、アラーム信号線３２を介して、冷却ユニット（ＨＥＵ）１に送信するとともに、冷却ユニット（ＨＥＵ）１を中継して、双方向性のアラーム信号線３２を介して、他の基地局ユニット（ＢＳＵ）に対しても、当該基地局ユニットｎ（ＢＳＵ＃ｎ）２ｎのファンユニットｎ（ＦＡＮＵ＃ｎ）２ｎ２に関するアラーム状態を通知することができる。
【００５０】
ＣＬＫ発生器１（ＣＬＫＦ１）２ｎ６１は、通常回転数Ｆ１に対応する周波数のクロック信号で発振し、ＣＬＫ発生器２（ＣＬＫＦ２）２ｎ６２は、高速回転数Ｆ２に対応する周波数のクロック信号で発振し、ＣＬＫ発生器３（ＣＬＫＦ３）２ｎ６３は、中間回転数である協調回転数Ｆ３に対応する周波数のクロック信号で発振する。ここで、通常回転数Ｆ１は、故障がない正常な通常運用時の回転数であり、高速回転数Ｆ２は、あらかじめ定めた異常温度閾値を超える異常温度が検知された際のアラーム（ＡＬＭ）状態における高速回転用の回転数（例えば最大の回転数）であり、協調回転数Ｆ３は、ファン（ＦＡＮ）の故障発生時に風量協調動作を行う第２のアラーム（ＡＬＭ２）状態における回転数であり、Ｆ２＞Ｆ３＞Ｆ１の関係にある。
【００５１】
クロック切替部（ＳＷ）２ｎ７は、中央処理部（ＣＰＵ）２ｎ４からクロック切替制御信号線２ｎ４１を介して受信するクロック切替制御信号に基づいて、ＣＬＫ発生器１（ＣＬＫＦ１）２ｎ６１，ＣＬＫ発生器２（ＣＬＫＦ２）２ｎ６２，ＣＬＫ発生器３（ＣＬＫＦ３）２ｎ６３のいずれかのクロック信号に切り替えて、ファンユニットｎ（ＦＡＮＵ＃ｎ）２ｎ２内のファン１（ＦＡＮ＃１）２ｎ２１，…，ファンＮ（ＦＡＮ＃Ｎ）２ｎ２Ｎの各ファン（ＦＡＮ）に対して供給する。
【００５２】
なお、これらのＣＬＫ発生器１（ＣＬＫＦ１）２ｎ６１，ＣＬＫ発生器２（ＣＬＫＦ２）２ｎ６２，ＣＬＫ発生器３（ＣＬＫＦ３）２ｎ６３やクロック切替部（ＳＷ）２ｎ７の構成は、図２には概念的なイメージとして示しているが、実際には、ＶＣＯ（Voltage-Controlled  Oscillator：電圧制御発振器）やパルス発振器のような線形的な周波数可変手段を用いて実現することができる。
【００５３】
メモリ部（ＭＥＭ）２ｎ５にあらかじめ保存されている、各ファン（ファン１（ＦＡＮ＃１）２ｎ２１，…，ファンＮ（ＦＡＮ＃Ｎ）２ｎ２Ｎ）の回転数を制御するための回転数制御プロファイルの設定内容の一例を図３に示す。図３は、図１に示す冷却制御システムにおける基地局ユニット（ＢＳＵ）のファンユニット（ＦＡＮＵ）の回転数制御プロファイルの一例を示すテーブルと説明図とであり、図２に示した基地局ユニットｎ（ＢＳＵ＃ｎ）２ｎのファンユニットｎ（ＦＡＮＵ＃ｎ）２ｎ２の回転数制御プロファイルの設定内容を例にとって示している。
【００５４】
なお、前述したように、以下の説明を簡単化するために、基地局ユニットｎ（ＢＳＵ＃ｎ）２ｎ以外の他の基地局ユニット（ＢＳＵ）のファンユニット（ＦＡＮＵ）についても、図３（Ａ）と全く同様の回転数制御プロファイルが、それぞれ、他の基地局ユニット（ＢＳＵ）のファンユニット（ＦＡＮＵ）内のメモリ部（ＭＥＭ）に設定されているものと仮定している。図３（Ａ）は、回転数制御プロファイルの設定例を示すテーブルであり、図３（Ｂ）は、図３（Ａ）の回転数制御プロファイルに設定された筐体実装モードにおける制御回転数Ｆ１，Ｆ２，Ｆ３の関係を説明するための説明図である。
【００５５】
図３（Ａ）に示すように、回転数制御プロファイルは、基地局ユニット（ＢＳＵ）の筐体（ＳＬＴ）４内への実装の有無を示す実装モード（ＭＯＤＥ）５１、温度センサ（ＴＥＭＰ）２ｎ８が検知する検知温度Ｔとあらかじめ定めた異常温度閾値Ｔ０との関係を示す温度範囲５２、当該基地局ユニット（ＢＳＵ）および他の基地局ユニットのファンユニット（ＦＡＮＵ）内のファン（ＦＡＮ）のアラーム状態（故障の有無）を示すＦＡＮＵ状態５３、当該基地局ユニット（ＢＳＵ）のファンユニット（ＦＡＮＵ）内のファン（ＦＡＮ）に設定する回転数を示すＦＡＮＵ制御回転数５４から構成されている。
【００５６】
ファンユニット（ＦＡＮＵ）内の各ファンは、図３（Ａ）のＮｏ．１〜Ｎｏ．４のＦＡＮＵ制御回転数５４に示すように、外部から、通常回転数Ｆ１、高速回転数Ｆ２、協調回転数Ｆ３の３種類の制御回転数のいずれかへの切替制御を行うことができるファンを用いていることを示している。ここで、高速回転数Ｆ２＞協調回転数Ｆ３＞通常回転数Ｆ１の関係にあり、高速回転数Ｆ２が最も高速の回転速度であり、通常回転数Ｆ１が最も低速の回転速度である。
【００５７】
基地局ユニットｎ（ＢＳＵ＃ｎ）２ｎのファンユニットｎ（ＦＡＮＵ＃ｎ）２ｎ２の場合において、図３（Ａ）のＮｏ．１のＦＡＮＵ状態５３に示す通常運用時とは、実装モード（ＭＯＤＥ）５１が単独運用モードであった場合には、基地局ユニットｎ（ＢＳＵ＃ｎ）２ｎのファンユニットｎ（ＦＡＮＵ＃ｎ）２ｎ２のすべてのファン（ＦＡＮ）が正常な状態にあり、実装モード（ＭＯＤＥ）５１が筐体実装モードであった場合には、当該基地局ユニットｎ（ＢＳＵ＃ｎ）２ｎのファンユニットｎ（ＦＡＮＵ＃ｎ）２ｎ２のみならず、他の基地局ユニット（ＢＳＵ）のファンユニット（ＦＡＮＵ）も含め、すべてのファン（ＦＡＮ）が正常な状態にある場合を示している。図３（Ａ）のＮｏ．１のように、ＦＡＮＵ状態５３が通常運用時に該当する場合には、実装モード（ＭＯＤＥ）５１がＯＮ（筐体実装モード）かＯＦＦ（単独運用モード）かの如何によらず、図３（Ａ）のＮｏ．１のＦＡＮＵ制御回転数５４のように、ファンユニットｎ（ＦＡＮＵ＃ｎ）の各ファンは、通常回転数Ｆ１に制御される。
【００５８】
なお、かくのごとき場合は、図１に示すように、基地局ユニットｎ（ＢＳＵ＃ｎ）２ｎが他の基地局ユニット（ＢＳＵ）も実装されている筐体（ＳＬＴ）４に実装されていて、実装モード（ＭＯＤＥ）５１が筐体実装モードであった場合には、アラーム信号線３２を介して、冷却ユニット（ＨＥＵ）１および他の基地局ユニット（ＢＳＵ）との間で、相互に、ファンユニット（ＦＡＮＵ）内のファン（ＦＡＮ）が正常な状態にあることを確認し合っている。
【００５９】
したがって、当該基地局ユニットｎ（ＢＳＵ＃ｎ）２ｎのファンユニットｎ（ＦＡＮＵ＃ｎ）２ｎ２の各ファンのみならず、筐体（ＳＬＴ）４に実装されている他の基地局ユニット（ＢＳＵ）のファンユニットの各ファンもすべて通常回転数Ｆ１に設定されることになり、すべての基地局ユニット（ＢＳＵ）のファンユニット（ＦＡＮＵ）からの廃熱の風量と冷却ユニット（ＨＥＵ）１にて取り込む風量とがマッチングした協調状態になり、筐体（ＳＬＴ）４内に滞留熱が発生することを防止することができる。
【００６０】
一方、ファンユニット（ＦＡＮＵ）のファンに故障が発生し、アラーム状態になった場合は、対象の基地局ユニット（ＢＳＵ）の実装モード（ＭＯＤＥ）５１がＯＦＦ（単独運用モード）とＯＮ（筐体実装モード）とのいずれであるかによって、ファン（ＦＡＮ）に対する制御が異なる。つまり、対象の基地局ユニット（ＢＳＵ）の実装モード（ＭＯＤＥ）５１がＯＦＦ（単独運用モード）であった場合には、ＦＡＮＵ状態５３に示すアラーム状態は、第２アラーム（ＡＬＭ２）の状態はなく、アラーム（ＡＬＭ）状態のみであり、温度センサ（ＴＥＭＰ）２ｎ８が検知した検知温度Ｔの如何によらず、ＦＡＮＵ制御回転数５４のように、ファンユニット（ＦＡＮＵ）の故障になっていない残りの正常な各ファンは、最大の冷却効果を得るために、３つの制御回転数の中で最も高速に回転する高速回転数Ｆ２に制御される。
【００６１】
なお、故障したファンの故障分の冷却風量を補って、基地局ユニットの冷却性能を維持することが可能であれば、図２のクロック切替部（ＳＷ）２ｎ７を各ファン（ＦＡＮ）ごとに配置するように変更して、ファンユニット（ＦＡＮＵ）の残りのすべての正常なファンではなく、１ないし複数のファン例えば故障のファンに隣接する隣のファンの回転数を、高速回転数Ｆ２に制御するようにしても良い。
【００６２】
これに対して、対象の基地局ユニット（ＢＳＵ）の実装モード（ＭＯＤＥ）５１がＯＮ（筐体実装モード）であった場合には、図３（Ｂ）の説明図および図３（Ａ）の温度範囲５２に示すように、温度センサ（ＴＥＭＰ）２ｎ８が検知した検知温度Ｔが異常時の温度としてあらかじめ定めた異常温度閾値Ｔ０以下か否かによって、ファンに対する制御が異なる。温度センサ（ＴＥＭＰ）２ｎ８が検知した検知温度Ｔが異常温度閾値Ｔ０以下であった場合には、ＦＡＮＵ状態５３に示すアラーム状態は第２アラーム（ＡＬＭ２）状態であり、ＦＡＮＵ制御回転数５４のように、ファンユニット（ＦＡＮＵ）内の残りの正常な各ファンは、冷却ユニット（ＨＥＵ）１との風量の協調動作が可能な協調回転数Ｆ３に制御される。
【００６３】
なお、第２アラーム（ＡＬＭ２）状態の発生は、アラーム信号線３２を介して、冷却ユニット（ＨＥＵ）１を経由して、他の基地局ユニット（ＢＳＵ）に対しても通知されるので、ファンの故障が発生した基地局ユニット（ＢＳＵ）のファンユニット（ＦＡＮＵ）内の残りの正常な各ファンのみならず、筐体（ＳＬＴ）４に実装されている他の基地局ユニット（ＢＳＵ）のファンユニットの各ファンもすべて協調回転数Ｆ３に設定されることになる。したがって、すべての基地局ユニット（ＢＳＵ）のファンユニット（ＦＡＮＵ）それぞれからの廃熱の総風量と冷却ユニット（ＨＥＵ）１にて取り込む風量とがマッチングした協調状態になり、筐体（ＳＬＴ）４内に滞留熱が発生することを防止することができる。
【００６４】
一方、対象の基地局ユニット（ＢＳＵ）の実装モード（ＭＯＤＥ）５１がＯＮ（筐体実装モード）であった場合に、温度センサ（ＴＥＭＰ）２ｎ８が検知した検知温度Ｔが異常温度閾値Ｔ０を超えた場合には、ＦＡＮＵ状態５３に示すアラーム状態は単独運用モードと同様のアラーム（ＡＬＭ）状態になり、ＦＡＮＵ制御回転数５４のように、ファンユニット（ＦＡＮＵ）内の残りの正常な各ファンは、最大の冷却効果を得るために、３つの制御回転数の中で最も高速に回転する高速回転数Ｆ２に制御される。
【００６５】
また、アラーム（ＡＬＭ）の発生は、アラーム信号線３２を介して、冷却ユニット（ＨＥＵ）１を経由して、他の基地局ユニット（ＢＳＵ）に対しても通知されるので、筐体（ＳＬＴ）４に実装されている他の基地局ユニット（ＢＳＵ）において、検知温度Ｔが異常温度閾値Ｔ０を超えた場合には、該当する他の基地局ユニット（ＢＳＵ）のファンユニットの各ファンもすべて高速回転数Ｆ２に制御するようになる。
【００６６】
以上のように、ファンの異常（アラーム）発生時に、図３（Ａ）の回転数制御プロファイルのＮｏ．２とＮｏ．３／Ｎｏ．４とのいずれを用いてファンの回転数を制御するかは、前述のように、対象の基地局ユニット（ＢＳＵ）の実装モードが単独運用モードであるかあるいは筐体実装モードであるかによって切り替えられ、さらに、筐体実装モードにおいて、Ｎｏ．３とＮｏ．４のいずれかを用いてファンの回転数を制御するかは、図３（Ｂ）の説明図にも示すように、ファンユニット（ＦＡＮＵ）内の温度センサ（ＴＥＭＰ）２ｎ８が検知した検知温度Ｔがあらかじめ定めた異常温度閾値Ｔ０以下であるか否かによって切り替えられる。
【００６７】
なお、以上の説明において、対象の基地局ユニット（ＢＳＵ）の実装モード（ＭＯＤＥ）５１がＯＦＦ（単独運用モード）とＯＮ（筐体実装モード）とのいずれであるかは、前述したように、モード信号線３１が筐体（ＳＬＴ）４内の冷却ユニット（ＨＥＵ）１と接続されているか否かによって判別される。対象の基地局ユニット（ＢＳＵ）が、他の基地局ユニット（ＢＳＵ）も実装されている同一の筐体（ＳＬＴ）４に実装された際に、冷却ユニット（ＨＥＵ）１との間でモード信号線３１を接続した状態になると、該モード信号線３１の入力端子から実装モード信号としてＯＮ状態の信号（筐体実装モードを示す信号）が入力されてくる。一方、単独運用モードの場合は、冷却ユニット（ＨＥＵ）１との間でモード信号線３１が接続されていない状態であり、モード信号線３１の入力端子からはＯＦＦ状態の信号（単独運用モードを示す信号）が入力されてくる。
【００６８】
また、温度センサ（ＴＥＭＰ）２ｎ８は、ファンユニットｎ（ＦＡＮＵ＃ｎ）２ｎ２内から排気されるファン（ＦＡＮ）の排気温度を検出して、検知温度Ｔとして、ファン制御部（ＣＯＮＴ−Ｆ）２ｎ３のＣＰＵ２ｎ４に温度信号線２ｎ８１を介して供給する。正常な通常運用時においては、温度センサ（ＴＥＭＰ）２ｎ８は、常温データを検出して、検知温度Ｔとして、ＣＰＵ２ｎ４に供給する。
【００６９】
なお、図１に示すファン制御システムにおける冷却ユニット（ＨＥＵ）１は、従来のファン制御システムとして図６に示した冷却ユニット（ＨＥＵ）１と全く同様の構成からなっており、各基地局ユニット（ＢＳＵ）内のファンユニット（ＦＡＮＵ）から排出されてくる廃熱を取り込む冷却ファン１（ＦＡＮ−Ｅ＃１）１２１、外部の冷気を取り込む冷却ファン２（ＦＡＮ−Ｅ＃２）１２２、熱交換を行う熱交換器１２３からなっており、廃熱を筐体（ＳＬＴ）４の外部へ放出し、冷却風を筐体（ＳＬＴ）４内に送り込むことによって、筐体（ＳＬＴ）４の内部の冷却を行う。
【００７０】
（実施形態の動作の説明）
次に、図１、図２に示したファン制御システムの動作の一例について詳細に説明する。なお、以下の説明においては、説明を簡単化するために、筐体（ＳＬＴ）４内に実装される各基地局ユニット（ＢＳＵ）のファンユニット（ＦＡＮＵ）は、すべて、図２に示すファンユニットｎ（ＦＡＮＵ＃ｎ）２ｎ２と同一の構成からなり、かつ、ファンの回転数を制御するための回線数制御プロファイルも同等であり、図３に示す設定内容によって構成されていることを前提として説明する。
【００７１】
図２のファン警報線２ｎ２０からアラーム信号が中央処理部（ＣＰＵ）２ｎ４に入力されることがなく、各ファン（ＦＡＮ）に故障がない通常運用時においては、図３（Ｂ）の説明図および図３（Ａ）のＮｏ．１に示したように、実装モードが筐体実装モードか否かに関係なく、かつ、温度センサ（ＴＥＭＰ）２ｎ８が検知する検知温度Ｔは異常温度閾値Ｔ０以下の常温の範囲内にあるので、ファン（ＦＡＮ）の回転数を通常回転数Ｆ１に設定するように制御している。
【００７２】
すなわち、温度センサ（ＴＥＭＰ）２ｎ８から異常温度閾値Ｔ０以下の常温の範囲内にある温度信号を、検知温度Ｔとして、温度信号線２ｎ８１を介して受け取った中央処理部（ＣＰＵ）２ｎ４は、自ファンユニットｎ（ＦＡＮＵ＃ｎ）２ｎ２が正常な通常運用時の状態にあるものと判定して、メモリ部（ＭＥＭ）２ｎ５に回転数制御プロファイルとしてあらかじめ保存されているテーブルを参照し、図３（Ａ）の回転数制御プロファイルのテーブルのＦＡＮＵ制御回転数５４から、ＦＡＮＵ状態５３が通常運用時に該当するＮｏ．１の通常回転数Ｆ１の情報を読み出す。そして、読み出した通常回転数Ｆ１にファン（ＦＡＮ）の回転数を制御するためのクロック切替制御信号を生成し、クロック切替制御信号線２ｎ４１を介して、クロック切替部（ＳＷ）２ｎ７に対して送信する。
【００７３】
クロック切替部（ＳＷ）２ｎ７は、中央処理部（ＣＰＵ）２ｎ４から受け取ったクロック切替制御信号に基づいて、スイッチを制御して、通常回転数Ｆ１に対応する周波数で発振するＣＬＫ発生器１（ＣＬＫＦ１）２ｎ６１からのクロック信号を、ファン１（ＦＡＮ＃１）２１２１，…，ファンＮ（ＦＡＮ＃１）２１２Ｎそれぞれの制御入力部に供給する状態に設定する。したがって、ファン１（ＦＡＮ＃１）２１２１，…，ファンＮ（ＦＡＮ＃１）２１２Ｎの各ファン（ＦＡＮ）は、通常回転数Ｆ１で回転する状態に設定される。
【００７４】
かくのごとく、ファン警報線２ｎ２０からファン（ＦＡＮ）の異常を示す信号が入力されることがなく、かつ、筐体（ＳＬＴ）４内の温度が常温状態にある通常運用時においては、筐体（ＳＬＴ）４内部の空気の流れは、従来技術として説明した図６の矢印付き点線Ｌ２にて示したように、筐体（ＳＬＴ）４内に実装された基地局ユニット１（ＢＳＵ＃１）２１，…，基地局ユニットｎ（ＢＳＵ＃ｎ）２ｎの各基地局ユニット（ＢＳＵ）と冷却ユニット（ＨＥＵ）１との間には、図３の回転数制御プロファイルのＮｏ．１に示す通常運用時における設定内容にしたがって、互いに協調した筐体（ＳＬＴ）４内の風量に設定することができ、冷却ユニット（ＨＥＵ）１における熱交換を効率的に実施して、熱循環を円滑に行うことができる。
【００７５】
次に、筐体（ＳＬＴ）４内に複数個実装した基地局ユニット（ＢＳＵ）内のファンユニット（ＦＡＮＵ）のいずれかに故障が発生した場合の動作について説明する。ここでは、従来技術として先に説明した図７に示した場合を例にとって、筐体（ＳＬＴ）４内の基地局ユニットｎ（ＢＳＵ＃ｎ）２ｎのファンユニットｎ（ＦＡＮＵ＃ｎ）２ｎ２内のファン１（ＦＡＮ＃１）２ｎ２１が故障した場合について以下に説明する。
【００７６】
まず、図１に示したように、基地局ユニット１（ＢＳＵ＃１）２１，…，基地局ユニットｎ（ＢＳＵ＃ｎ）２ｎの各基地局ユニット（ＢＳＵ）は、筐体（ＳＬＴ）４に実装した際に、前述したように、モード信号線３１によって冷却ユニット（ＨＥＵ）１と接続され、冷却ユニット（ＨＥＵ）１から実装モード信号（ＭＯＤＥ）としてＯＮ信号（筐体実装モードであることを示す信号）を受信している。したがって、各基地局ユニット（ＢＳＵ）のファンユニット（ＦＡＮＵ）内の中央処理部（ＣＰＵ）は、自基地局ユニット（ＢＳＵ）が他の基地局ユニット（ＢＳＵ）が実装されている筐体（ＳＬＴ）４内に一緒に実装されていることを認識することができる。
【００７７】
この結果、例えば、基地局ユニットｎ（ＢＳＵ＃ｎ）２ｎのファンユニットｎ（ＦＡＮＵ＃ｎ）２ｎ２においては、中央処理部（ＣＰＵ）２ｎ４は、自ファンユニットｎ（ＦＡＮＵ＃ｎ）２ｎ２のファン１（ＦＡＮ＃１）２ｎ２１，…，ファンＮ（ＦＡＮ＃Ｎ）２ｎ２Ｎの各ファンの回転数を制御する際に、メモリ部（ＭＥＭ）２ｎ５にあらかじめ保存されている図３の回転数制御プロファイルのＮｏ．１（通常動作時）とＮｏ．３（第２アラーム（ＡＬＭ２）時）／Ｎｏ．４（アラーム（ＡＬＭ）時）を参照して制御することになる。つまり、中央処理部（ＣＰＵ）２ｎ４が、実装モード信号（ＭＯＤＥ）としてＯＮ信号（筐体実装モード信号）を受信すると、自ファンユニットｎ（ＦＡＮＵ＃ｎ）２ｎ２のファン１（ＦＡＮ＃１）２ｎ２１，…，ファンＮ（ＦＡＮ＃Ｎ）２ｎ２Ｎの各ファンの回転数制御用に参照する回転数制御プロファイルを、単独運用モード時における設定内容から筐体実装モードにおける設定内容に切り替えることになる。
【００７８】
なお、実装モード信号（ＭＯＤＥ）としてＯＦＦ信号（単独運用モード信号）を受信した場合には、自基地局ユニットｎ（ＢＳＵ＃ｎ）２ｎは単独で運用されているので、図３の回転数制御プロファイルのＮｏ．１（通常動作時）とＮｏ．２（アラーム（ＡＬＭ）時）を参照して制御する。
【００７９】
筐体実装モードの場合には、前述のように、図３の回転数制御プロファイルのＮｏ．１（通常動作時）とＮｏ．３（第２アラーム（ＡＬＭ２）時）／Ｎｏ．４（アラーム（ＡＬＭ）時）を参照する。ここで、ファンの故障が発生している場合は、Ｎｏ．３／Ｎｏ．４を参照して制御することになる。つまり、温度センサ（ＴＥＭＰ）２ｎ８が検知した検知温度Ｔが、異常温度閾値Ｔ０以下であった場合には、風量協調制御を可能にする第２アラーム（ＡＬＭ２）状態として、図３の回転数制御プロファイルのＮｏ．３を参照し、異常温度閾値Ｔ０を超えた場合には、ファンをより高速に回転させて冷却すべきアラーム（ＡＬＭ）状態が発生しているものとして、図３の回転数制御プロファイルのＮｏ．４を参照して制御する。
【００８０】
図７に示すように、基地局ユニットｎ（ＢＳＵ＃ｎ）のファンユニットｎ（ＦＡＮＵ＃ｎ）２ｎ２のファン１（ＦＡＮ＃１）２ｎ２１が故障した場合、図２に示すように、ファン１（ＦＡＮ＃１）２ｎ２１から故障発生を示すアラーム信号がファン警報線２ｎ２０を介して中央処理部（ＣＰＵ）２ｎ４に送信される。ファン警報線２ｎ２０を介してアラーム信号を受信した中央処理部（ＣＰＵ）２ｎ４は、温度センサ（ＴＥＭＰ）２ｎ８から、温度信号線２ｎ８１を介してファンユニットｎ（ＦＡＮＵ＃ｎ）２ｎ２から排出される廃熱の検知温度Ｔを温度信号として受信し、該検知温度Ｔがあらかじめ定めた異常温度閾値Ｔ０以下であるか否かを確認する。
【００８１】
温度センサ（ＴＥＭＰ）２ｎ８から受信した検知温度Ｔが該異常温度閾値Ｔ０以下であった場合には、中央処理部（ＣＰＵ）２ｎ４は、風量協調制御が可能な第２アラーム（ＡＬＭ２）状態の発生と判定して、図３の回転数制御プロファイルのＮｏ．３を参照して、ＦＡＮＵ制御回転数５４の協調回転数Ｆ３を読み出して、故障したファン１（ＦＡＮ＃１）２ｎ２１以外のファンユニットｎ（ＦＡＮＵ＃ｎ）２ｎ２の残りのファン（ＦＡＮ）の回転数を協調回転数Ｆ３に制御するための制御信号を作成して、クロック切替制御信号としてクロック切替制御信号線２ｎ４１を介してクロック切替部（ＳＷ）２ｎ７に対して送信する。
【００８２】
クロック切替部（ＳＷ）２ｎ７は、中央処理部（ＣＰＵ）２ｎ４からクロック切替制御信号線２ｎ４１を介して協調回転数Ｆ３への設定を指示するクロック切替制御信号を受信すると、ＣＬＫ発生器１（ＣＬＫＦ１）２ｎ６１，ＣＬＫ発生器２（ＣＬＫＦ２）２ｎ６２，ＣＬＫ発生器３（ＣＬＫＦ３）２ｎ６３のうち、協調回転数Ｆ３に対応する周波数で発振するＣＬＫ発生器３（ＣＬＫＦ３）２ｎ６３を選択して、ＣＬＫ発生器３（ＣＬＫＦ３）２ｎ６３のクロック信号を、故障したファン１（ＦＡＮ＃１）２ｎ２１以外のファンユニットｎ（ＦＡＮＵ＃ｎ）２ｎ２の残りのファン（ＦＡＮ）に対して供給する。この結果、故障したファン１（ＦＡＮ＃１）２ｎ２１以外のファンユニットｎ（ＦＡＮＵ＃ｎ）２ｎ２の残りのファン（ＦＡＮ）は、風量協調制御が可能な協調回転数Ｆ３で回転することになる。
【００８３】
さらに、風量協調制御が可能な第２アラーム（ＡＬＭ２）状態の発生と判定した中央処理部（ＣＰＵ）２ｎ４は、自基地局ユニットｎ（ＢＳＵ＃ｎ）２ｎのファンユニットｎ（ＦＡＮＵ＃ｎ）２ｎ２に第２アラーム（ＡＬＭ２）状態が発生した旨を示すアラーム信号を生成して、双方向性のアラーム信号線３２を介して、冷却ユニット（ＨＥＵ）１および他の基地局ユニット（ＢＳＵ）に対して送信する。
【００８４】
他の基地局ユニット（ＢＳＵ）のファンユニット（ＦＡＮＵ）内の中央処理部（ＣＰＵ）が、双方向性のアラーム信号線３２を介して、基地局ユニットｎ（ＢＳＵ＃ｎ）２ｎの第２アラーム（ＡＬＭ２）状態の発生を示すアラーム信号を受け取ると、それぞれ、自基地局ユニット（ＢＳＵ）内のファンユニット（ＦＡＮＵ）のファンの異常が存在しているか否かに関係なく、自基地局ユニット（ＢＳＵ）内のファンユニット（ＦＡＮＵ）の温度センサ（ＴＥＭＰ）が検知した検知温度Ｔを確認し、あらかじめ定めた異常温度閾値Ｔ０以下であった場合には、自基地局ユニット（ＢＳＵ）内のファンユニット（ＦＡＮＵ）の各ファン（ＦＡＮ）を協調回転数Ｆ３で回転するように制御する。
【００８５】
この結果、筐体（ＳＬＴ）４内に実装されているすべての基地局ユニット（ＢＳＵ）のファンユニット（ＦＡＮＵ）の正常な各ファンは、協調回転数Ｆ３で回転する状態になり、冷却ユニット（ＨＥＵ）１との間での風量の協調動作が可能になる。したがって、図７に示したような冷却ユニット（ＨＥＵ）１との風量ミスマッチに伴い発生する滞留熱が筐体（ＳＬＴ）４内に生じることを防止することができる。
【００８６】
つまり、故障したファン（ＦＡＮ）の冷却能力を補うために最も高速に回転する高速回転数Ｆ２に制御する場合に比し、協調回転数Ｆ３は低速の回転に設定されることになるものの、前述のように、すべての基地局ユニット（ＢＳＵ）のファンユニット（ＦＡＮＵ）のファンが協調回転数Ｆ３に制御された状態になり、冷却ユニット（ＨＥＵ）１と同期した風量協調制御を行うことが可能になるので、各基地局ユニット（ＢＳＵ）のファンユニット（ＦＡＮＵ）から排出される廃熱を冷却ユニット（ＨＥＵ）１に効果的に吸収することができ、また、各基地局ユニット（ＢＳＵ）は冷却ユニット（ＨＥＵ）１から供給される冷却風を効果的に吸入することができる。
【００８７】
したがって、結果的に、ファン（ＦＡＮ）の故障が発生した場合であっても、筐体（ＳＬＴ）４内の風流が安定的に循環する状態になるので、図７のような滞留熱の発生がなくなり、筐体（ＳＬＴ）４の総合的な冷却能力は向上することになる。而して、ファン（ＦＡＮ）の故障が発生した場合であっても、筐体（ＳＬＴ）４に実装されている基地局ユニット１（ＢＳＵ＃１）２１，…，基地局ユニットｎ（ＢＳＵ＃ｎ）２ｎの動作や寿命に支障が生じるという事態を確実に防ぐことができる。
【００８８】
（実施形態の変形例）
前述の説明においては、複数個の基地局ユニット（ＢＳＵ）を実装している筐体（ＳＬＴ）４内に実装された筐体実装モードにある基地局ユニット（ＢＳＵ）について、ファンユニット（ＦＡＮＵ）の中央処理部（ＣＰＵ）２ｎ４が、ファン警報線２ｎ２０を介して、ファン（ＦＡＮ）の故障が発生したことを示すアラーム信号を受信した際に、温度信号線２ｎ８１を介して受信した温度センサ（ＴＥＭＰ）２ｎ８の検知温度Ｔが、あらかじめ定めた異常温度閾値Ｔ０以下に収まっているか否かによって、各ファン（ＦＡＮ）の回転数を、風量協調動作が可能な協調回転数Ｆ３に制御するか、最大の回転速度の高速回転数Ｆ２に制御するかを決定している場合について説明したが、本発明は、かかる場合のみに限るものではない。
【００８９】
例えば、筐体実装モードにある基地局ユニット（ＢＳＵ）においては、中央処理部（ＣＰＵ）２ｎ４が、ファン警報線２ｎ２０を介して、ファン（ＦＡＮ）の故障が発生したことを示すアラーム信号を受信した際には、温度センサ（ＴＥＭＰ）２ｎ８の検知温度Ｔが如何なる温度であっても、各ファン（ＦＡＮ）の回転数を、風量協調動作が可能な協調回転数Ｆ３に制御するようにしても良い。
【００９０】
つまり、ファン（ＦＡＮ）が故障したアラーム発生時に、筐体実装モードにある場合（モード信号線３１からＯＮ信号が入力されている場合）には、温度センサ（ＴＥＭＰ）２ｎ８の検知温度Ｔが前記異常温度閾値Ｔ０を超えているか否かには関係なく、第２アラーム（ＡＬＭ２）状態が発生したものと判定して、ファンユニット（ＦＡＮＵ）の各ファン（ＦＡＮ）を協調回転数Ｆ３に制御し、一方、単独運用モードにある場合（モード信号線３１からＯＦＦ信号が入力されている場合）には、協調動作を行う必要がないので、アラーム（ＡＬＭ）状態が発生したものと判定して、ファンユニット（ＦＡＮＵ）の各ファン（ＦＡＮ）を高速回転数Ｆ２に制御するようにしても良い。
【００９１】
また、ファン（ＦＡＮ）の故障が発生していない通常運用時におけるファン（ＦＡＮ）の通常回転数Ｆ１に関し、前述の実施形態においては、筐体実装モードにある場合と単独運用モードにある場合とで、同じ回転数を用い、かつ、通常回転数Ｆ１として、筐体実装モードの場合にすべてのファン（ＦＡＮ）が正常な状態において冷却ユニット（ＨＥＵ）１との風量協調動作が可能な回転数を用い、該回転数を単独運用モードにおいても設定している場合について説明したが、本発明はかかる場合に限るものではない。すなわち、ファン（ＦＡＮ）の故障が発生していない通常運用時におけるファン（ＦＡＮ）の通常回転数Ｆ１に関し、単独運用モードの場合と筐体実装モードの場合とで、異なる回転数を用い、それぞれのモードにおいて、より有効な冷却効果が得られる回転数に設定するようにしても構わない。また、異常状態が発生した場合の高速回転数Ｆ２についても、単独運用モードの場合と筐体実装モードの場合とで、異なる回転数を用いるようにしても構わない。すなわち、筐体実装モードであった場合と単独運用モードであった場合とのそれぞれで、ファン（ＦＡＮ）の回転数を異なる値の回転数を用いて制御するようにしても構わない。
【００９２】
さらに、筐体実装モードにある基地局ユニット（ＢＳＵ）においては、ファン（ＦＡＮ）の故障が発生したか否かに関係なく、筐体（ＳＬＴ）４に実装時の初期値として、各ファン（ＦＡＮ）の回転数を、風量協調動作が可能な協調回転数Ｆ３に設定するようにしても良い。つまり、図４の回転数制御プロファイルのＮｏ．３に例示するように、筐体（ＳＬＴ）４に実装した際に、ファンユニット（ＦＡＮＵ）の各ファン（ＦＡＮ）を、単独運用モードにおける回転数とは異なる回転数に設定するように制御し、前述のような通常回転数Ｆ１に設定するのではなく、通常運用時であっても、風量協調動作が可能な協調回転数Ｆ３に制御するようにしても良い。図４は、図１に示す冷却制御システムにおける基地局ユニット（ＢＳＵ）のファンユニット（ＦＡＮＵ）の回転数制御プロファイルの図３とは異なる他の例を示すテーブルである。
【００９３】
なお、前述の実施形態においては、前述のように、筐体実装モードにおける通常回転数Ｆ１が、すべてのファン（ＦＡＮ）が正常な通常運用時の場合には、冷却ユニット（ＨＥＵ）１との風量協調動作が可能な回転数になるように調整されている。しかし、図４の回転数制御プロファイルのように、初期値の回転数として通常回転数Ｆ１よりも高速の協調回転数Ｆ３を設定する場合は、すべてのファン（ＦＡＮ）が正常時の場合と或るファン（ＦＡＮ）が故障した場合とのそれぞれに対応して、冷却ユニット（ＨＥＵ）１側の冷却ファン１（ＦＡＮ−Ｅ＃１）１２１、冷却ファン２（ＦＡＮ−Ｅ＃２）１２２の回転数を制御して、風量協調が可能な状態に設定することが必要になる。
【００９４】
図４の回転数制御プロファイルに基づいてファンユニット（ＦＡＮＵ）のファン（ＦＡＮ）の回転数を制御する場合、ファン（ＦＡＮ）が故障したアラーム発生時には、次のような制御になる。つまり、中央処理部（ＣＰＵ）２ｎ４は、ファン（ＦＡＮ）が故障したことを示すアラーム信号を、ファン警報線２ｎ２０を介して受け取った場合、図４の回転数制御プロファイルのＮｏ．４に例示するように、温度センサ（ＴＥＭＰ）２ｎ８が検知した検知温度Ｔがあらかじめ定めた異常温度閾値Ｔ０以下であった場合には、第２アラーム（ＡＬＭ２）状態が発生したものと判定して、ファン（ＦＡＮ）の回転数を変更することなく、協調回転数Ｆ３のまま継続することにし、該第２アラーム（ＡＬＭ２）状態発生に関する通知を受け取った冷却ユニット（ＨＥＵ）１側において風量の調整を行う。
【００９５】
一方、図４の回転数制御プロファイルのＮｏ．５に例示するように、温度センサ（ＴＥＭＰ）２ｎ８が検知した検知温度Ｔが異常温度閾値Ｔ０を超えた場合には、アラーム（ＡＬＭ）状態に移行して、高速回転数Ｆ２に制御し、該アラーム（ＡＬＭ）状態発生に関する通知を受け取った冷却ユニット（ＨＥＵ）１側において風量の調整をさらに実施する。
【００９６】
また、初期値の回転数を、或るファン（ＦＡＮ）の故障発生時に冷却ユニット（ＨＥＵ）１との風量協調動作が可能な協調回転数Ｆ３に設定した場合、ファン（ＦＡＮ）が故障したアラーム発生時には、図４の回転数制御プロファイルのＮｏ．４、Ｎｏ．５とは異なり、単独運用モードの場合の図４の回転数制御プロファイルのＮｏ．２と同様、温度センサ（ＴＥＭＰ）２ｎ８の検知温度Ｔの如何に関係なく、直ちに、ファンユニット（ＦＡＮＵ）の各ファン（ＦＡＮ）を高速回転数Ｆ２に制御するようにしても良い。
【００９７】
また、ファン警報線２ｎ２０を介して、ファン（ＦＡＮ）の故障が発生したことを示すアラーム信号を受信することによって、中央処理部（ＣＰＵ）２ｎ４が、ファンユニット（ＦＡＮＵ）のファン（ＦＡＮ）の回転数を制御する契機とする場合について説明したが、本発明はかかる場合のみに限るものでもない。例えば、中央処理部（ＣＰＵ）２ｎ４において、温度信号線２ｎ８１を介して受信した温度センサ（ＴＥＭＰ）２ｎ８の検知温度Ｔが、ファン（ＦＡＮ）の異常を示すアラーム状態検出用としてあらかじめ定めたアラーム温度閾値Ｔ１を超えていた場合には、ファン警報線２ｎ２０からのアラーム信号を受信するか否かに関係なく、ファンユニット（ＦＡＮＵ）のファン（ＦＡＮ）の回転数を制御するようにしても良い。ここで、アラーム温度閾値Ｔ１は、通常、異常温度として前述した異常温度閾値Ｔ０を超えない温度範囲内に設定される。
【００９８】
つまり、温度センサ（ＴＥＭＰ）２ｎ８の検知温度Ｔがアラーム温度閾値Ｔ１を超えた場合、ファン警報線２ｎ２０からのアラーム信号を受信していなくても、ファンユニット（ＦＡＮＵ）のファン（ＦＡＮ）の回転数を制御する動作を開始して、例えば、前述の異常温度閾値Ｔ０以下であった場合（Ｔ１＜Ｔ≦Ｔ０）には、各ファン（ＦＡＮ）の回転数を、風量協調動作が可能な協調回転数Ｆ３に制御し、さらに、前述の異常温度閾値Ｔ０をも超えた場合（Ｔ＞Ｔ０）には、最大の回転速度の回転数Ｆ２に制御するか、あるいは、協調回転数Ｆ３のままにする。なお、基地局ユニット（ＢＳＵ）が単独運用モードであった場合には、温度センサ（ＴＥＭＰ）２ｎ８の検知温度Ｔがアラーム温度閾値Ｔ１を超えた場合、前述の異常温度閾値Ｔ０を超えたか否かに関係なく、各ファン（ＦＡＮ）の回転数を最大の回転速度の高速回転数Ｆ２に制御する。
【００９９】
なお、以上の説明においては、説明を簡単化するために、各基地局ユニット（ＢＳＵ）における特性や設置環境はすべて共通であることを前提にして説明したが、現実には、前述したように、各基地局ユニット（ＢＳＵ）における特性や設置環境は、異なることが多く、各基地局ユニット（ＢＳＵ）の冷却対象となる機器の特性や設置環境等に応じて、適切なファン（ＦＡＮ）数量や回線数制御プロファイルを用意することが必要であり、ファン（ＦＡＮ）の設置数量や設置環境、さらには、通常回転数Ｆ１、高速回転数Ｆ２、協調回転数Ｆ３それぞれの回転数等に関しては、各基地局ユニット（ＢＳＵ）ごとに、実際の現場においてあらかじめ検証されたものを用いることが望ましい。
【０１００】
（実施形態の効果の説明）
以上に詳細に説明したように、本実施形態におけるファン制御システム、ファン制御方法においては、次のような効果が得られる。すなわち、複数の基地局ユニット（ＢＳＵ）が冷却ユニット（ＨＥＵ）１を備えた筐体（ＳＬＴ）４内に実装されている筐体実装モードであった場合においては、いずれかの基地局ユニット（ＢＳＵ）のファンユニット（ＦＡＮＵ）内のファン（ＦＡＮ）に故障が発生してアラーム状態になった場合、第２アラーム（ＡＬＭ２）状態の発生と判定して、筐体（ＳＬＴ）４内のすべての基地局ユニット（ＢＳＵ）のファンユニット（ＦＡＮＵ）のファン（ＦＡＮ）を、冷却ユニット（ＨＥＵ）１との風量協調動作が可能な協調回転数Ｆ３で回転するように制御することができるので、結果的に、筐体（ＳＬＴ）４内の風流が安定的に循環する状態になり、図７のような滞留熱の発生がなくなり、筐体（ＳＬＴ）４の総合的な冷却能力を向上させることができ、ファン（ＦＡＮ）の故障が発生した場合であっても、筐体（ＳＬＴ）４に実装されている各基地局ユニット（ＢＳＵ）の動作や寿命に支障が生じることを確実に防ぐことができる。
【０１０１】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【０１０２】
１        冷却ユニット（ＨＥＵ）
４        筐体（ＳＬＴ）
１１      冷却ユニット制御部（ＣＯＮＴ−Ｈ）
２１      基地局ユニット１（ＢＳＵ＃１）
２ｎ      基地局ユニットｎ（ＢＳＵ＃ｎ）
３１      モード信号線
３２      アラーム信号線
５１      実装モード（ＭＯＤＥ）
５２      温度範囲
５３      ＦＡＮＵ状態
５４      ＦＡＮＵ制御回線数
５５      隣接ＦＡＮ状態
５６      制御回転数
１２１    冷却ファン１（ＦＡＮ−Ｅ＃１）
１２２    冷却ファン２（ＦＡＮ−Ｅ＃２）
１２３    熱交換器
２１２    ファンユニット１（ＦＡＮＵ＃１）
２１３    ファン制御部（ＣＯＮＴ−Ｆ）
２ｎ２    ファンユニットｎ（ＦＡＮＵ＃ｎ）
２ｎ３    ファン制御部（ＣＯＮＴ−Ｆ）
２ｎ４    中央処理部（ＣＰＵ）
２ｎ５    メモリ部（ＭＥＭ）
２ｎ７    クロック切替部（ＳＷ）
２ｎ８    温度センサ（ＴＥＭＰ）
２１２１  ファン１（ＦＡＮ＃１）
２１２Ｎ  ファンＮ（ＦＡＮ＃Ｎ）
２１３１  無線ユニット１（ＲＦＵ＃１）
２１３Ｎ  無線ユニットＮ（ＲＦＵ＃Ｎ）
２ｎ２０  ファン警報線
２ｎ２１  ファン１（ＦＡＮ＃１）
２ｎ２Ｎ  ファンＮ（ＦＡＮ＃Ｎ）
２ｎ３１  無線ユニット１（ＲＦＵ＃１）
２ｎ３Ｎ  無線ユニットＮ（ＲＦＵ＃Ｎ）
２ｎ４１  クロック切替制御信号線
２ｎ６１  ＣＬＫ発生器１（ＣＬＫＦ１）
２ｎ６２  ＣＬＫ発生器２（ＣＬＫＦ２）
２ｎ６３  ＣＬＫ発生器３（ＣＬＫＦ３）
２ｎ８１  温度信号線
Ｌ１      矢印付き点線（廃熱風流）
Ｌ２      矢印付き点線（冷却風流）
Ｌ３      矢印付き点線（冷吸気・放熱風流）
Ｔ        検知温度
Ｔ０      異常温度閾値
Ｔ１      アラーム温度閾値
【図１】
2014154748.tif 000003
【図２】
2014154748.tif 000004
【図３】
2014154748.tif 000005
【図４】
2014154748.tif 000006
【図５】
2014154748.tif 000007
【図６】
2014154748.tif 000008
【図７】
2014154748.tif 000009
【図８】
2014154748.tif 000010